(57)【特許請求の範囲】
【請求項１】
レセプタクル接点を有するレセプタクルと、前記レセプタクル接点に接触することで電気的な接続を行うプラグ接点を有するプラグとを備え、
前記レセプタクルと前記プラグとが離間されたときに、前記レセプタクルに設けられている前記レセプタクル接点を充満して覆うように配設された第１の絶縁部材と、
前記レセプタクルと前記プラグとが離間されたときに、前記プラグに設けられている前記プラグ接点を挿入して全体を覆うように配設された弾性変形する第２の絶縁部材と、
前記プラグを保持する第１のインシュレータの前記レセプタクルとの接続側の周囲に形成され、前記レセプタクルと前記プラグとの接続時に弾性変形した前記第２の絶縁部材が膨出密着して防水性を確保するための環状の空隙部と、
前記レセプタクル接点を前記レセプタクルへ保持する第２のインシュレータの前記レセプタクル接点の周囲に形成され、前記レセプタクルと前記プラグとの接続時に弾性変形した前記第２の絶縁部材を圧入密着して防水性を確保するための凹部と、
を具備することを特徴とすることを特徴とする医療用コネクタ。
【請求項２】
前記プラグとの接続側の前記レセプタクルの端面には、前記レセプタクルと前記プラグとの接続時において、前記空隙部の退去した前記第２の絶縁部材に圧接する環状の突起部が形成されていることを特徴とする請求項１に記載の医療用コネクタ。
【発明の詳細な説明】
【０００１】
【発明の属する技術分野】
本発明は、内視鏡下外科手術等の滅菌領域内で使用される医療用コネクタに関する。
【０００２】
【従来の技術】
従来、レセプタクルとプラグとを接続することにより、これら両者に設けられている電気接点同志を接触させ、互いの電気的接続を行う機器を備えたコネクタにおいて、機器が液体に触れる環境下で使用される場合のコネクタは、液体が機器内部に侵入して不具合が発生することのないように、液密構造を採用する。
【０００３】
例えば、医療分野においては、細長の挿入部を体腔内に挿入することにより、体腔内を観察することのできる内視鏡が広く用いられているが、こうした内視鏡は、接眼部から肉眼観察可能な光学内視鏡と、挿入部先端の撮像部にＣＣＤ等の撮像素子を配設したビデオスコープとがあり、これら各内視鏡は、通常、被検体への照明光を発生する光源装置、ビデオスコープに配設されているＣＣＤ、或いは光学内視鏡の接眼部に装着したカメラヘッドからの撮像信号を処理するカメラコントロールユニット（ＣＣＵ）、このカメラコントロールユニットで処理された映像信号を映し出すモニター等で構成されている。
【０００４】
この場合、カメラヘッドやビデオスコープのように滅菌領域内で使用される機器に対して他の機器を接続するための小形のコネクタを、この滅菌領域内で着脱しようとする際には、生理食塩水等の液体がコネクタ内部に浸入して、不具合が発生しないように、液体の浸入を防止する手段を設け、又、仮に、液体が内部に浸入した場合でも、それを排除する手段を設ける必要がある。
【０００５】
又、コネクタが外された状態では、滅菌室内で術者等が触れる可能性のある部分（特に、コネクタのプラグとレセプタクルとの接合面）は、確実に滅菌されていなければならず、滅菌工程では、洗滌・消毒等のために液体に浸漬されるコネクタのプラグとレセプタクルの接合面は、液体が内部に侵入して不具合が発生することのないように液密構造が採用される。
【０００６】
液密構造を採用する医療用コネクタとしては、特開平６−１３３９１９号公報、特開平６−２５０１０３号公報、特開平６−２５１８２９号等に開示されているものがある。
【０００７】
特開平６−１３３９１９号公報には、洗滌・消毒・滅菌のためにコネクタのソケット（レセプタクル）を液体に浸漬した直後に、このソケットをプラグに接続する際に、ソケットの電気接点に付着されている残留液分を、プラグに設けられているスポンジにより吸収することで、残留液分のプラグ内部への浸入を防止し、一方液分が吸収されているスポンジは内部に供給される空気により乾燥させる技術が開示されている。
【０００８】
又、特開平６−２５０１０３号公報には、コネクタの接合面に水滴が付着していても、簡単に除去できるように、筐体側へのコネクタ接続の際に、接点に対して自動的に、撥水性及び導電性を有する潤滑部材（導電性グリース）を塗布する技術が開示されている。更に、この先行技術には、コネクタ自体を水密構造とした技術も開示されている。
【０００９】
又、特開平６−２５１８２９号公報には、コネクタの接合面に水滴が付着していても、簡単に除去できるように、筐体側へのコネクタ接続の際に、タイマにより一定時間、液体除去装置を作動させ、或いは濡れ検知手段により接点に液体が付着されているか否かを検出し、液体の付着が検出された場合に液体除去装置を作動させて、接合面に付着されている水滴を除去した後、接続した機器を動作させるようにした技術が開示されている。
【００１０】
又、一般的に防水コネクタとして、プラグ側とレセプタクル側との接続部に対し、接続後に電気接点に液体が浸入しないようにＯリング等のシール部材で接続部をシールする手段は既に知られている。
【００１１】
【発明が解決しようとする課題】
しかし、特開平６−１３３９１９号公報に開示されている技術では、コネクタがある程度の大きさを有し、電気接点の数も少ない場合には有効であるが、機器が小型化し、電気接点数が多くなった場合には、スポンジによる液分の吸収能力が飽和し易く、各電気接点に付着した液体を短絡しないレベルまで除去することが困難になる場合がある。又、滅菌域内で機器をすばやく交換するために、コネクタを外した後、新たな機器を接続する場合に、コネクタの接合面に付着されている液分をスポンジ等の吸水材で素早く完全に吸収することは困難であり、接続後、機器を直ちに使用した場合には、接点が短絡してしまう可能性があるため、接続後、ある程度の時間を置いた後に、使用しなければならず、利便性に欠ける問題がある。
【００１２】
又、特開平６−２５０１０３号公報、及び特開平６−２５１８２９号公報に開示されている技術では、コネクタ内部、及びこれらに接続される装置に液分を積極的に除去するための手段を配設しなければならないため、構造が複雑となり、装置全体が大型化してしまうため、滅菌領域内で機器間の着脱を行う小形のコネクタに設けることは困難である。
【００１３】
従って、本発明は、滅菌領域内でコネクタ部を外した場合でも、このコネクタ部に設けられている接点の滅菌状態を確保することができ、更に、接点に付着されている液分は、コネクタ部を接続する際に、接点短絡或いは接点不良の生じないレベルまで確実に除去することのできる医療用コネクタを提供することを目的とする。
【００１４】
【課題を解決するための手段】
上記目的を達成するための本発明による医療コネクタは、レセプタクル接点を有するレセプタクルと、前記レセプタクル接点に接触することで電気的な接続を行うプラグ接点を有するプラグとを備え、前記レセプタクルと前記プラグとが離間されたときに、前記レセプタクルに設けられている前記レセプタクル接点を充満して覆うように配設された第１の絶縁部材と、前記レセプタクルと前記プラグとが離間されたときに、前記プラグに設けられている前記プラグ接点を挿入して全体を覆うように配設された弾性変形する第２の絶縁部材と、前記プラグを保持する第１のインシュレータの前記レセプタクルとの接続側の周囲に形成され、前記レセプタクルと前記プラグとの接続時において、弾性変形した前記第２の絶縁部材が膨出密着して防水性を確保するための環状の空隙部と、前記レセプタクル接点を前記レセプタクルへ保持する第２のインシュレータの前記レセプタクル接点の周囲に形成され、前記レセプタクルと前記プラグとの接続時に弾性変形した前記第２の絶縁部材を圧入密着して防水性を確保するための凹部と、を具備することを特徴とする。
【００１５】
このような構成では、プラグとレセクタブルとが外された状態のとき、このプラグとレセクタブルとに設けられている両接点が絶縁部材によって自動的に覆われることで、滅菌状態が保持される。
【００１６】
【発明の実施の形態】
以下、図面に基づき本発明の一実施の形態について説明する。
（第１実施の形態）
図１〜図４に本発明による第１実施の形態を示す。
本実施の形態では、滅菌領域内で電気接点を有するコネクタの着脱を行う際に、誤ってコネクタ部に液体が浸入した場合であっても、その液体を簡単に除去することにより、接触不良等を発生させないようにしたものである。
【００１７】
図１には内視鏡のシステム構成例が示されている。同図の符号１は、観察像をイメージガイドで接眼部１ａに伝送する光学内視鏡（軟性鏡、或いは硬性鏡）であり、この光学内視鏡１の接眼部１ａには、異なる種類のカメラヘッド２，３が選択的に接続自在にされている。
【００１８】
一方のカメラヘッド２は、先端側のヘッドユニット２ａと、それに連続するカメラケーブル２ｂとが一体に形成されており、他方のカメラヘッド３は、ヘッドユニット３ａに対してカメラケーブル３ｂがコネクタ部３ｃを介して接続自在にされている。
【００１９】
又、符号４，５はビデオスコープであり、一方のビデオスコープ４は先端側のスコープユニット４ａと、それに連続するカメラケーブル４ｂとが一体に形成されており、又、他方のビデオスコープ５は、ひとつのカメラケーブル５ｃに対して機能の異なる複数のスコープユニット５ａ，５ｂがコネクタ部５ｄを介して選択的に接続自在にされている。
【００２０】
これら各カメラヘッド２，３のヘッドユニット２ａ，３ａ、及びビデオスコープ４，５のスコープユニット４ａ，５ａ，５ｂの先端部には、結像光学系と、この結像光学系の結像位置に撮像面を配設する撮像素子（何れも図示せず）とが内蔵されており、この各撮像素子で撮像される内視鏡像は、画像信号に変換されて、各カメラケーブル２ｂ，３ｂ，４ｂ，５ｃの後端に設けられたカメラコネクタ部２ｃ，３ｄ，４ｃ，５ｅに伝送される。
【００２１】
この各カメラコネクタ部２ｃ，３ｄ，４ｃ，５ｅは、カメラコントロールユニット（以下「ＣＣＵ」と称する）６に選択的に接続自在にされており、このＣＣＵ６に接続されるカメラコネクタ部２ｃ，３ｄ，４ｃ或いは５ｅを介して入力される画像信号がＣＣＵ６にて処理され、モニター７に出力される。
【００２２】
カメラヘッド３は、ヘッドユニット３ａとカメラケーブル３ｂとが分離されているため、例えば光学倍率の異なるヘッドユニット３ａを複数備えておくことで、術者は、手元で所望の倍率のヘッドユニット３ａを簡単に交換することができ、取扱性が良い。
【００２３】
又、ビデオスコープ５の各スコープユニット５ａ，５ｂとカメラケーブル５ｃとを分離したことにより、仕様の異なるスコープユニット５ａ，５ｂ（例えばスコープユニット５ａが視野方向が０°のタイプ、スコープユニット５ｂが視野方向が３０°のタイプ）を簡単に交換することができる。その結果、視野角の異なるスコープユニットを複数備えておくことで、比較的長尺のカメラケーブル５ｃはＣＣＵ６に接続したままの状態で、スコープユニットのみの交換で所望の視野を簡単に確保することが可能となる。
【００２４】
図２〜図４に、上述したコネクタ部３ｃ，５ｄの具体的な構成を示す。ここで、図２は分離状態のコネクタ部の断面図、図３は接続状態のコネクタ部の断面図、図４は図３のIV部拡大図である。尚、各コネクタ部３ｃ，５ｄの構成は、共通しているため、以下の説明では、この各コネクタ部３ｃ，５ｄを、コネクタ部１１と総称して説明する。
【００２５】
コネクタ部１１はレセプタクル１２と、このレセプタクル１２に接続されるプラグ１３とから成る丸形コネクタであり、本実施の形態では、レセプタクル１２がカメラヘッド３のヘッドユニット３ａ、或いはビデオスコープ５のスコープユニット５ａ，５ｂ側に設けられ、プラグ１３がカメラケーブル３ｂ，５ｃ側に設けられている。但し、レセプタクル１２とプラグ１３とが、互いに逆側に設けられていても良い。
【００２６】
図２に示すように、レセプタクル１２の接合面１２ａに設けられているレセプタクルシェル１４にインシュレータ１５を介して複数のレセプタクル接点１２ｂが保持されており、この各レセプタクル接点１２ｂ内に、絶縁性を有する弾性部材１６が充填されている。尚、インシュレータ１５の端面は、レセプタクルシェル１４の端面よりもやや突出されている。
【００２７】
レセプタクル接点１２ｂの端面はインシュレータ１５の端面とほぼ同一面に形成されており、又、インシュレータ１５の、レセプタクル接点１２ｂの周囲に凹部１５ａが形成されている。
【００２８】
又、プラグ１３の接合面１３ａに設けられているプラグシェル１７にインシュレータ１８を介して、上記各レセプタクル接点１２ｂに対応する複数のプラグ接点１３ｂが保持されており、この各プラグ接点１３ｂの先端部がインシュレータ１８から突出されている。
【００２９】
インシュレータ１８の前面には絶縁性を有する弾性部材１９が装着されており、プラグ接点１３ｂの先端部が、この弾性部材１９により覆われて、前面が凹凸のない平坦面状に形成されている。
【００３０】
又、レセプタクルシェル１４の外周には、ねじ部１４ａが螺設されており、一方、プラグシェル１７には、先端内周に上記ねじ部１４ａに螺合するカップリングナット２０が取付けられている。
【００３１】
図３に示すように、レセプタクル１２とプラグ１３とに設けられている、互いに対応するレセプタクル接点１２ｂとプラグ接点１３ｂとが圧着されて結合されている状態では、レセプタクル１２側のインシュレータ１５が、プラグ１３側のインシュレータ１８の前面に装着されている弾性部材１９を押圧し、この弾性部材１９を弾性変形させる。
【００３２】
図２に示すように、プラグシェル１７の開口端部は、インシュレータ１８に装着されている弾性部材１９が、自由な状態にあるときの外周に臨まされており、この開口端部の内周に空隙部１７ａが形成されている。又、図４に示すように、この空隙部１７ａに対向するレセプタクルシェル１４の端面に突起部１４ｂが環設されている。
【００３３】
次に、上記構成による本実施の形態の作用について説明する。
図２に示すように、コネクタ部１１が分離された状態では、レセプタクル１２側に設けられるレセプタクル接点１２ｂが弾性部材１６で充満され、一方、プラグ１３側に設けられているプラグ接点１３ｂの先端部が、インシュレータ１８に装着されている弾性部材１９により覆われており、レセプタクル接点１２ｂの端面は、内部に弾性部材１６が充填されていることによりほぼ平坦に形成され、又、プラグ接点１３ｂの先端は弾性部材１９により凹凸の無い、ほぼ平坦面に形成されている。
【００３４】
従って、滅菌領域内でコネクタ部１１を外したとき、誤ってレセプタクル１２、或いはプラグ１３の端面に生理食塩水や血液等の液体が付着した場合、従来は、この液体の影響で接点１２ｂ，１３ｂが接点不良を起因する可能性があるが、本実施の形態では、レセプタクル接点１２ｂ内が弾性部材１６で充満され、一方プラグ接点１３ｂの先端部が弾性部材１９で覆われて、可能な限り段差のない状態になるため、液体が接点１２ｂ，１３ｂに浸透し難くなると共に、接点１２ｂ，１３ｂが外部と直接接触し難くなり、滅菌状態を保持することができる。
【００３５】
その結果、レセプタクル１２、或いはプラグ１３の接合面１２ａ，１３ａに液体が付着した場合であっても、それをガーゼ等を用いて払拭するだけで簡単に除去することができる。
【００３６】
又、図３に示すように、レセプタクル１２側に設けられている各レセプタクル接点１２ｂと、これに対応するプラグ１３側に設けられている各プラグ接点１３ｂとを位置合わせした後、レセプタクルシェル１４の外周に螺設されているねじ部１４ａに対して、プラグ１３側のカップリングナット２０を螺合すると、それに従い、レセプタクル１２側とプラグ１３側とに設けられているインシュレータ１５，１８が互いに近接し、両インシュレータ１５，１８間に挟まれた弾性部材１９が圧縮されて、弾性変形し、相対的に露呈されるプラグ接点１３ｂの先端がレセプタクル接点１２ｂに係入される。
【００３７】
このとき、レセプタクル接点１２ｂに充填されている弾性部材１６が、プラグ接点１３ｂの先端にて押しのけられるため、プラグ接点１３ｂとレセプタクル接点１２ｂとが電気的に接続される。
【００３８】
一方、両インシュレータ１５，１８に挟まれてレセプタクル１２側のインシュレータ１５の端面に当接されたプラグ側の弾性部材１９は、図３示すように、レセプタクル接点１２ｂの端面に密着すると共に、その周囲に形成された凹部１５ａに圧入される。その結果、両接点１２ｂ，１３ａの接続部分が密閉され、防水性が保証される。
【００３９】
又、カップリングナット２０の螺合により、プラグシェル１７の開口端部が、レセプタクル１２側のインシュレータ１５をオーバハングして、最終的にレセプタクルシェル１４の端面に当接する。
【００４０】
一方、両インシュレータ１５，１８間に挟まれて圧縮された弾性部材１９の一部は外周方向へ膨出し、プラグシェル１７の開口部内周に形成された空隙部１７ａに退去されると共に、レセプタクルシェル１４の端面に密着する。このレセプタクルシェル１４の端面には突起部１４ｂが環設されているため（図４参照）、良好なシール状態が確保され、外部からの液体の侵入を阻止することができる。
【００４１】
このように、本実施の形態によれば、コネクタ部１１のレセプタクル１２とプラグ１３とが外されたとき、この両接合面１２ａ，１３ａに設けられているレセプタクル接点１２ｂ内は弾性部材１６が充満された状態となり、又、プラグ接点１３ｂの先端部が弾性部材１９で覆われた状態となるため、滅菌領域内で、このレセプタクル１２とプラグ１３との接合面１２ａ，１３ａに液体が付着した場合であっても、接点１２ｂ，１３ｂに浸透し難く、接合面１２ａ，１３ａをガーゼ等により払拭するだけで、簡単に除去することができ、レセプタクル１２とプラグ１３とを、再度、接続しても、接点不良或いは接点短絡が発生することはない。
【００４２】
又、本実施の形態にて示した構成では、一般的なオス・メス接点形状での構成が可能であるため、特殊な接点形状とすることはなく、製造コストの低減を図ることができる。
【００４３】
更に、レセプタクル１２とプラグ１３とに設けた弾性部材１６，１９は、コネクタ部１１が接続されたときは、シール部材として機能させることができるため、一般的な防水コネクタのように、Ｏリング等のシール部材を特別に設ける必要が無く、構造が簡素化されるため、形状の小型化、及び製造コストの低減を図ることができる。
【００４４】
（第２実施の形態）
図５に本発明の第２実施の形態によるコネクタ部の斜視図を示す。本実施の形態では、コネクタ部２１のプラグ２２とレセプタクル２３との間に、絶縁性及び弾性を有する高吸水性部材２４を設けたものである。
【００４５】
すなわち、レセプタクル２３の接合面２３ａに、同図にハッチングで示すようにキャップ形状をした高吸水性部材２４を装着固定する。
【００４６】
プラグ２２がレセプタクル２３に接続される前に、プラグ２２の接合面２２ａから突出されている複数のプラグ接点２２ｂが、高吸水性部材２４を突き抜けるため、その際、プラグ接点２２ｂに付着されている水滴が払拭される。
【００４７】
このように、本実施の形態によれば、コネクタ部１１のプラグ２２のプラグ接点２２ｂがレセプタクル２３のレセプタクル接点２３ｂに接続される前に、プラグ接点２２ｂに付着されている水滴が高吸水性部材２４より除去されるので、プラグ接点２２ｂとレセプタクル接点２３ｂとが接続される際には、水滴が付着しておらず、従って、接点不良或いは接点短絡が発生することはない。
【００４８】
（第３実施の形態）
図６に本発明の第３実施の形態によるコネクタ部の斜視図を示す。本実施の形態では高吸水性部材をディスポーザブル化したものである。
【００４９】
すなわち、コネクタ部３１を構成するレセプタクル３２内に設けたレセプタクル接点（図示せず）の前面（プラグ挿入側）に配設した絶縁性、及び弾性を有するシート状高吸水性部材３３を着脱自在とする。レセプタクル３２にはシート状高吸水性部材３３を抜き差しするための切り欠き部３４を形成しておき、この切欠き部３４を介してシート状高吸水性部材３３の交換を行う。
【００５０】
このような構成によれば、プラグ３５の接合面３５ａから突出されているプラグ接点（図示せず）がレセプタクル３２のレセプタクル接点（図示せず）に接続される前に、このプラグ接点がシート状高吸水性部材３３を突き抜けることで、プラグ接点に付着されている水滴が除去されるため、第２実施の形態と同様の作用効果を得ることができる。
【００５１】
更に、高吸水性部材３３をディスポーザブル化したことで、レセプタクル３２とプラグ３５とが頻繁に着脱される場合であっても、高吸水性部材３３を、適宜交換することで、常に高吸水性を確保することができ、コネクタの信頼性をより一層高めることが可能となる。
【００５２】
（第４実施の形態）
図７に本発明の第４実施の形態によるコネクタ部の斜視図を示す。本実施の形態によるコネクタ部４１では、コネクタ（一方がレセプタクルで他方がプラグとする）４２，４３に、使用状態に必要な結合力を有する磁石４４，４５をそれぞれ配設したものである。
【００５３】
すなわち、各コネクタ４２，４３の接合面４２ａ，４３ａには、表面に撥水加工が施されたインシュレータ４６，４７が設けられており、このインシュレータ４６，４７の表面に、隆起の小さなドーム型の接点４２ｂ，４３ｂが、互いに対応した状態で複数固定されている。各接合面４２ａ，４３ａは、弾力性を有する金属製の薄板で形成されており、磁力による接合であっても充分に電気的接続が可能な構造となっている。
【００５４】
又、磁石４４，４５はインシュレータ４６，４７の背面に配設されている。
【００５５】
両コネクタ４２，４３を所定に位置合わせした後（位置合わせ機構については図示せず）、嵌合させると、両コネクタ４２，４３の接合面４２ａ，４３ａが磁石４４，４５の磁力により吸着されて結合される。
【００５６】
すると、両接合面４２ａ，４３ａに配設されている接点４２ｂ，４３ｂが互いに接触された状態で弾性変形し、電気的に接続される。
【００５７】
尚、両磁石４４，４５の磁力は、使用状態に応じて設定するものとする。例えば、コネクタの着脱が然程頻繁ではなく、確実な固定を必要とする場合は、磁力を大きくすることで、より強固に固定させる。一方、コネクタの着脱が比較的頻繁に行われ、使用上、それ程大きな結合力を必要としない場合は、小さな磁力に設定することで、着脱を容易にする。
【００５８】
このように、本実施の形態によれば、磁石を用いてコネクタ間を固定するようにしたので、ナット等を用いた固定手段に比較してコネクタの着脱が容易となり、コネクタの着脱の頻度が比較的高い場合は、有効な手段である。
【００５９】
又、接点４２ｂ，４３ｂを隆起の少ないドーム型とし、更にインシュレータ４６，４７の表面に撥水加工を施したことにより、接点４２ｂ，４３ｂに水滴が付着した場合であっても、ガーゼ等で簡単に除去することができ、接点不良或いは接点短絡を有効に回避することができる。
【００６０】
（第５実施の形態）
図８に本発明の第５実施の形態によるコネクタ部の断面図を示す。本実施の形態によるコネクタ部５１は、レセプタクル５２に設けられているレセプタクル接点５２ｂを導電性ゴムを素材に形成したものである。
【００６１】
すなわち、プラグ５３の接合面５３ａに設けられているインシュレータ５５内に複数のプラグ接点５３ｂが設けられており、この各プラグ接点５３ｂの先端がインシュレータ５５の表面から、わずかに突出されている。
【００６２】
又、レセプタクル５２の接合面５２ａに設けられたインシュレータ５６には、各プラグ接点５３ｂに対峙する位置に、導電性ゴムで形成された複数のレセプタクル接点５２ｂが設けられている。この各レセプタクル接点５２ｂは、インシュレータ５６で区画されているため、接点間の短絡はない。
【００６３】
インシュレータ５６はレセプタクル接点５２ｂが配設される位置に予め孔を開けた状態でモールディングにより成形し、次いで、この孔に導電性ゴムを流し込むことにより、インシュレータ５６と同一平面のレセプタクル接点５２ｂを成形する。
【００６４】
このように、本実施の形態によれば、レセプタクル接点５２ｂを、インシュレータ５６に形成した孔に導電性ゴムを流し込んで形成したので、インシュレータ５６とレセプタクル接点５２ｂとの間の密閉性が良くなり、内部への液体の浸入を阻止することができる。又、レセプタクル接点５２ｂがインシュレータ５６と同一平面に形成されているため、この表面に付着した液体は、ガーゼ等で簡単に払拭することができる。
【００６５】
［付記］以上、説明したように本発明によれば、以下に示す構成を得ることができる。
（１）プラグ接点を有するプラグと該プラグ接点に対応するレセプタクル接点を有するレセプタクルとから成り、
前記プラグと前記レセプタクルとは着脱自在であって、該プラグと該レセプタクルとが離間された状態のとき、前記プラグ接点と前記レセプタクルとに設けられている前記両接点の少なくとも一方が絶縁部材により覆われることを特徴とする医療用コレクター。
このような構成では、プラグとレセプタクルとが外された状態のとき、このプラグとレセプタクルとに設けられている前記両接点の少なくとも一方が絶縁部材にて自動的に覆われて、滅菌状態が保持される。
【００６６】
（２）（１）において、
前記絶縁部材は、弾性体であることを特徴とする。
【００６７】
（３）（２）において、
前記プラグと前記レセプタクルとが接続された状態のとき前記絶縁部材を退去させる空隙部が形成されていることを特徴とする。
【００６８】
（４）（１）において、
前記プラグと前記レセプタクルとの接合面の少なくとも一方に高吸水性部材を設け、前記プラグと前記レセプタクルとに設けられている前記各接点が接続する前に、少なくとも一方の接点が高吸水性部材に接触しながら通過させるようにしたことを特徴とする。
【００６９】
（５）（４）において、
前記高吸水性部材は、前記プラグ或いは前記レセプタクルに対して着脱可能としたことを特徴とする。
【００７０】
（６）（１）において、
前記プラグと前記レセプタクルとの少なくとも一方に設けられている接点、或いは該接点の近傍に配設されている前記絶縁部材の少なくとも一方に対し、撥水加工を施したことを特徴とする。
【００７１】
（７）（１）において、
前記プラグと前記レセプタクルとの接続を、磁力により結合可能としたことを特徴とする。
【００７２】
（８）（１）において、
前記プラグと前記レセプタクルとに設けた前記両接点の少なくとも一方を、導電性を有する弾性体で形成したことを特徴とする。
【００７３】
【発明の効果】
以上、説明したように、本発明によれば、プラグとレセプタクルとが外された状態のとき、このプラグとレセプタクルとに設けられている前記両接点が絶縁部材にて自動的に覆われて、滅菌状態が保持されるので、コネクタが外された状態でも接点の滅菌状態を確保することができ、更に、接続の際には、絶縁部材により接点に付着されている液分が払拭されるので、液分を短時間で、接点短絡或いは接点不良の発生しないレベルまで確実に除去することができる。
【図面の簡単な説明】
【図１】第１実施の形態による内視鏡のシステム構成図
【図２】同、分離状態のコネクタ部の断面図
【図３】同、接続状態のコネクタ部の断面図
【図４】同、図３のIV部拡大図
【図５】第２実施の形態によるコネクタ部の斜視図
【図６】第３実施の形態によるコネクタ部の斜視図
【図７】第４実施の形態によるコネクタ部の斜視図
【図８】第５実施の形態によるコネクタ部の断面図
【符号の説明】
１１  コネクタ部
１２，２３，３２，５２  レセプタクル
１２ｂ，２３ｂ，５２ｂ  レセプタクル接点
１３，２２，３５，５３  プラグ
１３ｂ，２２ｂ，５３ｂ  プラグ接点
１６，１９  弾性部材（絶縁部材）
２４，３３  高吸水性部材（絶縁部材）
【図１】
0004159219.tif 000002
【図２】
0004159219.tif 000003
【図３】
0004159219.tif 000004
【図４】
0004159219.tif 000005
【図５】
0004159219.tif 000006
【図６】
0004159219.tif 000007
【図７】
0004159219.tif 000008
【図８】
0004159219.tif 000009